(57)【要約】【課題】            従来のサンダルは、薄くて硬い中底による、足への衝撃や足の疲労といった問題点があり、衝撃を吸収する機能を有するサンダルは製造コストが増大するといった問題点があった。【解決手段】          本考案は、足表面を覆う外皮、足裏を載置する中底およびサンダルの底４からなるサンダル１において、クッション材５が表皮で覆われて該中底が形成され、該中底が中底の前方部２および中底の後方部３に分割された二個形成され、該中底の前方部２および該中底の後方部３が該サンダルの底４の土踏まず部分の前後に固着されてなることを特徴とするサンダル１を提供する。【選択図】          図１
0003104143.tif 000002
【実用新案登録請求の範囲】
【請求項１】
足表面を覆う外皮、足裏を載置する中底および底からなるサンダルにおいて、クッション材が表皮で覆われて該中底が形成され、該中底が中底の前方部および中底の後方部に分割された二個形成され、該中底の前方部および該中底の後方部が該サンダルの底の土踏まず部分の前後に固着されてなることを特徴とするサンダル。
【請求項２】
前記中底の前方部分および前記中底の後方部分が、足裏を載置する形状に合わせて形成されることを特徴とする請求項１に記載のサンダル。
【請求項３】
前記中底の前方部分および前記中底の後方部分を合わせた面積が、前記サンダルの底の面積の７０％以上であることを特徴とする請求項１または請求項２に記載のサンダル。
【考案の詳細な説明】
【技術分野】
【０００１】
本考案は、歩行時脚への負担を軽減し、足の疲労軽減を可能にする中底を有するサンダルに関する。
【背景技術】
【０００２】
現在一般に市販されているサンダルや靴の中底は、スポーツシューズ等では、足の裏の形状に合わせた中底を有するものや、土踏まずの部分が土踏まずの形状に合わせて高くなっている中底を有するものがある。これらは、足にかかる負担を軽減したり、土踏まずの形成を助けたりする機能を有する。また、サンダルに関しては、一般に健康サンダルと呼ばれるものには、サンダルの中底に突起を有し足裏に刺激を与えるものもある。前記従来のサンダルは、土踏まずの部分と、土踏まずより前の部分のみ、足にかかる負担を軽減している。
【０００３】
また、足への衝撃を吸収するために、底の部分、例えば踵部分に、エアークッションを有するスポーツシューズなどもある。こういった機能を有するサンダルや靴は、普通、スポーツシューズ等に多く見られる。
【考案の開示】
【考案が解決しようとする課題】
【０００４】
従来のサンダルは、薄くて硬い中底による、足への衝撃や足の疲労といった問題点があった。また、衝撃を吸収する機能を有するサンダルは製造コストが増大するといった問題点があった。
【課題を解決するための手段】
【０００５】
本考案は、前記問題を解決するために、足表面を覆う外皮、足裏を載置する中底および底からなるサンダルにおいて、クッション材が表皮で覆われて該中底が形成され、該中底が中底の前方部および中底の後方部に分割された二個形成され、該中底の前方部および該中底の後方部が該サンダルの底の土踏まず部分の前後に固着されてなることを特徴とするサンダルを提供する。
【０００６】
又、本考案のサンダルは、前記中底の前方部分および前記中底の後方部分が、足裏を載置する形状に合わせて形成されることが好ましい。
【０００７】
更に、本考案のサンダルは、前記中底の前方部分および前記中底の後方部分を合わせた面積が、該サンダルの底の面積の７０％以上であることが好ましい。
【考案の効果】
【０００８】
本考案のサンダルは、足表面を覆う外皮、足裏を載置する中底および底からなるサンダルにおいて、クッション材が表皮で覆われて該中底が形成され、該中底が中底の前方部および中底の後方部に分割された二個形成され、該中底の前方部および該中底の後方部が該サンダルの底の土踏まず部分の前後に固着されてなることにより、足裏への衝撃を軽減し、足裏の押圧による刺激効果により血行がスムーズになり足の疲労軽減が可能となる。
【０００９】
また、中底が２箇所に分割されているのでサイズに合わせて配置を変更することにより、１種類の中底により複数のサイズに用いることが可能であり、全面に中底を配置するよりも材料が少なくすみ、コスト削減が可能となる。更に、１種類の中底で複数のサイズに対応可能なことは、複数の種類のサンダルにも対応可能であることを意味し、更なるコスト削減の効果がある。
【００１０】
前記中底の前方部分および前記中底の後方部分が、足裏を載置する形状に合わせて形成され、前記中底の前方部分および前記中底の後方部分を合わせた面積が、前記サンダルの底の面積の７０％以上であることにより、足裏への衝撃吸収がより効果的になる。
【考案を実施するための最良の形態】
【００１１】
以下に、図を用いて本考案のサンダルの実施形態について説明する。実施形態としては、紳士用サンダル、子供用サンダル、婦人サンダル等があるが、ここでは婦人サンダルを用いて説明する。
【００１２】
図１は、本考案の中底を婦人サンダル１に用いた実施形態を示す斜視図であり、図２は該婦人サンダル１の断面図である。実施形態として婦人サンダルを示しているが、本考案はこれに限定するものではなく、紳士用サンダル、子供用サンダルでも良い。
【００１３】
厚さ３ｍｍのウレタンスポンジを、足裏が載置される形状に合わせた形状かつ中底の前方部分２及び中底の後方部分３に分割して切断しクッション材５を形成する。前記中底の前方部２および中底の後方部３を合わせた面積は、サンダルの底４の７０％以上になるように形成する。前記クッション材５の足裏に接する面および前記サンダルの底４の接着する面の一部を表皮６として革を用いて覆い、前記中底の前方部２および前記中底の後方部３が形成される。
【００１４】
前記表皮６で覆われた前記中底の前方部２および中底の後方部３を、前記サンダルの底４の土踏まずより前方部と後方部の２個所に位置決めを行い、接着剤を用いて前記サンダルの底４に固定する。位置決めを簡単にするために、予め前記サンダルの底４に、前記クッション材５を接着する目印を設けておいても良い。このようにしてできた前記サンダルの底４および足表面を覆う外皮を用いて婦人用サンダル１を製作する。
【００１５】
前記中底のクッション材５にはスポンジ等のクッション性を有する材料、ウレタンフォーム、ウレタンスポンジ、シリコン、ＥＶＡ（エチレン酢酸ビニル共重合樹脂）発泡体等がある。また、その表面を覆う表皮６としても革に限定するものではなく、本革や合成皮革の革以外に、織布又は不織布でもよい。
【００１６】
前記中底を、前方部および後方部に貼りつけるのは、特に足裏の荷重の掛かる部分であり、押圧効果を増すためである。
【００１７】
また、本実施形態のように婦人サンダルで実施した場合、従来のデザイン性の無い中底とは異なり、分割された中底を、前記サンダルの底４と異なる色やデザインの表皮で覆い、表皮の表面にステッチ等を入れることにより、デザイン性が増し、店頭で販売する際に、他のサンダルと並べた時に、消費者によりアピールすることが可能となる。
【図面の簡単な説明】
【００１８】
【図１】本考案の実施形態の婦人サンダルを示す斜視図である
【図２】図１のＡ−Ａ線断面図である。
【符号の説明】
【００１９】
１    婦人サンダル
２    中底の前方部
３    中底の後方部
４    サンダルの底
５    クッション材
６    表皮
【図１】
0003104143.tif 000003
【図２】
0003104143.tif 000004